(57)【特許請求の範囲】
【請求項１】
垂直握り棒の一端部に略水平に突出する固定棒を形成した弓体と、前記固定棒の突出先端部に保持された１本または複数本のゴム材よりなり、前記固定棒の突出先端部に定設したゴムを保持する支柱と支柱を取り巻きかつ同固定棒の突端に開放する隙間と、同隙間に上方から連通するゴム挿入溝と、前記支柱の頂部に形成された凸部と、突端方向の隙間開口に形成された突起とを具えたことを特徴とする和弓の練習用具。
【発明の詳細な説明】
【０００１】
【発明の属する技術分野】
本発明は、和弓の基本練習を行う用具に関する。
【０００２】
【従来の技術】
一般に、弓道を志す初心者は、まず基本の射法を体得するため弓を持たず矢を番えないで射型の練習を行う必要がある。このための練習用具としては、実公昭５５−４８３１３号公報に示されるような装置があった。このほか、単にゴム素材のまま、または握り棒の上端か上下両端にゴム材を固着した簡単なゴム弓が用いられている。これらゴム弓に使用されてゴム材はその殆どが断面管状で、大径ゴム管内に小径ゴム管を挿入したいわゆる二重ゴム管である。
【０００３】
このようなゴム弓を用いて練習する際は、左手（押し手）で握り棒を右手（勝手）でゴム材の後端を持つ。弓道八節に従って弓構え（両手の間隔を１５ｃｍ程度離して弓を持つ姿勢）から打ち起こし（両手を水平に保ちつつ、腕を４５度挙上する）のあと、弓の張力に応えながら力を加え左右に引き分ける。中力（４０ｃｍ程度引いた状態）で気息を整えた後、さらに引き分けて会（８５〜９５ｃｍの矢尺まで一杯に引いた状態）に達し、会を十分に保った後に離れ（左手を押したまま右手のゴム部材を離す）となる。
【０００４】
ところが従来の二重ゴム管のゴム弓では、会までゴムを引くためにゴムの伸び率から５０ｃｍ以上の長さが必要で、５５ｃｍ程度のゴムが付けてあった。
従って、左右のバランスと気合を整える上で重要なポイントである中力に至ってもゴムが弛んでいて力が全く掛からず、５５ｃｍまで引き分けてようやく張力が出始めてその後は急速に強まる。このような張力の変化は、実際の弓の場合と大きく異なっていた。
また、ゴムの取り替えが容易でないことと、ゴムの強さを調節することが出来ず、ゴムが劣化したり破損しても交換出来にくく対応に苦慮していた。
その上、稀に素手で生ゴムを直接触りゴムカブレを起こすこともあった。
さらにまた、ゴムを握り棒の上下にゴムの両端を固着する方式では、離れでゴムが押し手（左手）に諸に当たり、苦痛を伴い時として打撲症を負うこともあった。一方、握り棒の上部一か所にゴムを固定する方式ではゴムが強すぎて、不自然に上押し（押し手を下方に押す力）を掛ける習慣が付いてしまう等の不具合もあった。
【０００５】
【発明が解決しようとする課題】
このように、従来の和弓の練習用具の機能は、実際の弓の機能とかけ離れており、練習の効果が期待できにくいだけでなく、悪い癖がつく恐れもあり、ゴムが損傷しても容易に交換ができず、素手でゴムを握ることによるカブレ等の問題もあった。そこにゴム弓が必須の練習教科と認識されながら、敬遠され或いは短期間しか使用されない原因があった。
本発明の目的は、低コストで構造が簡単でありかつ実際の弓の機能に酷似する機能を有する和弓の練習用具を提供することである。
【０００６】
【課題を解決するための手段】
上記の目的を達成するために、本発明の手段は垂直握り棒の一端部に略水平に突出する固定棒を形成した弓体と、前記固定棒の突出先端部に保持された１本または複数本のゴム材よりなり、前記固定棒の突出先端部に定設したゴムを保持する支柱と支柱を取り巻きかつ同固定棒の突端に開放する隙間と、同隙間に上方から連通するゴム挿入溝と、前記支柱の頂部に形成された凸部と、突端方向の隙間開口に形成された突起とを具えたことを特徴とする。本発明の更なる目的及び特徴は、以下に説明する発明の実施の形態から明らかになる。
【０００７】
【発明実施の形態】
以下、図面を参照して本発明の実施の形態例を説明する。しかしながら、かかる実施の形態例が、本発明の技術的範囲を限定するものでない。図１は、本発明にかかる和弓の練習用具の全体図を示す。垂直な握り棒（  １）の上部に略水平な固定棒（２）を取り付けた弓体（３）を有し前記握り棒（  １）の中央部分には、握り皮を巻いた弓把（４）を設ける。図２、図３および図  ４に示すように前記固定棒（２）の先端部には、帯状のゴム（７）の取り付け支柱（６）が立設され、同支柱（６）の頂部には外れ止めの凸部（１０）が形成されている。また前記支柱（６）の周囲には隙間（８）が形成され、さらにこの隙間（８）は固定棒（２）の突端方向に開口（５）を介して開放している。（９）は隙間（８）に接続した固定棒（２）の上方に開口するゴム挿入溝でゴム（７）が辛うじて通過できる程度の巾を有している。（１１）は穏やかなカ−ブで形成された曲壁、（１２）は各曲壁（１１）の上部、即ち突端方向の隙間開口に形成された突起で、同突起（１２）の間にも前記ゴム挿入溝（９）が構成される。（１３）はゴム（７）の端部と結策した環状の握り紐である。
【０００８】
このように構成した練習用具において弓体（３）にゴム（７）を装着するときは、ゴム挿入溝（９）から帯状のゴム（７）を縦に挿入し、支柱（６）に巻きつかせるように隙間（８）に収めて開口（５）より取り出す。一たん収まったゴム（７）は上記の凸部（１０）および突起（１２）により抜け落ちることがない。
このように構成した練習用具を用いて弓の基本を習得するときは、押し手（１４）で弓体（３）の弓把（４）部分を握り、勝手（１５）で握り紐（１３）部分を持ち弓構えの姿勢から打ち起こし引き分けに入る。ゴムは曲壁（１１）に当って延びる。中力を経て会を保ち上押しを緩めず、押し手（１４）の手の内で伸び合い会に至り（図５）、大きく左右に離すとゴムは収縮して反対側の曲壁（１１）に当たって元に戻る。
【０００９】
本発明ゴム弓は、引き始めの比較的早い段階から、ゴムの張力が両手に加わり、特に重要な中力で既に張力が存在し、さらに会まで徐々に強くなって行く。この張力の変化は、実際の弓の変化に近似する。
ゴムの引っ張り強さの調整は、練習者の体力に応じて、ゴムの本数を増やすかあるいはゴムの種類、太さ、厚み、巾を変えることにより加減する。
【００１０】
会まで引いたゴムは離れで元の長さに縮む時に反撥がある。ゴムの取り付け位置が弓体の手前側にあれば反撥力でゴムが押し手に当たり、弓体の裏側にあるゴムを右側に回して引くとゴムは弓体を右に回って押し手に当たらないが、離れの度びに裏側に回ったゴムを前に取り戻す必要がある。従来のゴム弓はこのいずれかであった。本発明ゴム弓は、弓体（３）より右に出た固定棒（２）の先端に取り付けたので、反発力でゴム（７）が押し手に当たらず、ゴムは裏側に回らないので、直ぐ握り紐が握れて次が引き易い。また、曲壁（１１）を形成しているので、引き分け時、離時のいずれもゴムが曲壁になじみ、ゴムの衝撃を穏やかなカ−ブで緩和するのでゴムが傷み難いという効果がある。
【００１１】
また、ゴムが右に出た固定棒の先端に取り付けられ、押し線（押し手の中心線）より右に偏位することで、トルク（回転モ−メント）が生じる。このトルクは偏位した距離が遠い程大きくなるが、実験では１５ｍｍ程度で適当なトルクが得られる。会まで角の見を効かす（押し手の母指根を弛めずに押す）と左回転のモ−メントの働きで実際の弓の弓返りに相当する作用が起き、手の内の習得ができ好都合である。更にまた、実際の弓は握りからの長さが上より下が短いため上押し（押し手を下方に押す力）が必要であるが、本発明のゴム弓はゴをム押し手より上に固定するので実際の弓の上押しに近い働きが押し手にかかる実験では２０ｍｍ程度で初心者のゴム弓として適当である。
【００１２】
【発明の効果】
以上、詳しく説明してきたが本発明和弓練習用具は、張力の変化、中力で既に出ている張力、トルク、上押しの力と実際の弓の機能に近似した機能を有しており、弓道八節の弓構えから残心までの射法を正しく効果的に習得することができ、初心者の射技の向上に大きく寄与することができるという効果を奏する。
さらに帯状のゴムを固定棒に装着する際は、ゴム挿入溝（９）から挿入して支柱（６）を取り巻くように隙間（８）に装着されるので、ゴム材の取り替えが手早くかつ容易で、凸部（１０）や突起（１２）によってゴムが逸脱することがなく、安心して練習ができる。
さらにまたゴムの太さや本数を変えることにより、ゴム弓としての張力を簡単に変更調整できるという効果がある。
【図面の簡単な説明】
【図１】本発明にかかる和弓の練習用具の全体斜視図である
【図２】本発明にかかる和弓の練習用具の突出棒部の斜視図である
【図３】図２のＩＩＩ−ＩＩＩ線断面斜視図である
【図４】図２のＩＶ−ＩＶ線断面斜視図である
【図５】本発明和弓の練習用具の会の正面図である
【符号の説明】
２固定棒
【図１】
0003719123.tif 000002
【図２】
0003719123.tif 000003
【図３】
0003719123.tif 000004
【図４】
0003719123.tif 000005
【図５】
0003719123.tif 000006